(57)【特許請求の範囲】
【請求項１】
カット対象の頭髪をパネル状に引き出してパネル状毛束を形成し、該パネル状毛束の自由端部を該自由端部の左右端部を重ね合わせるように折り返して折重自由端部を形成し、該折重自由端部を上記頭髪の引き出し方向に対し傾斜した方向にカットすることにより、頭部の球面形状に沿い易いカットラインを形成することを特徴とするヘアカット方法。
【請求項２】
上記パネル状毛束の自由端部の折り返しは山折り又は谷折りにて行うことを特徴とする請求項１記載のヘアカット方法。
【請求項３】
上記折重自由端部を上記頭髪の引き出し方向に対し傾斜して直線状又は凸弧状又は凹弧状にカットすることを特徴とする請求項１記載のヘアカット方法。
【発明の詳細な説明】
【技術分野】
【０００１】
本発明は、頭髪の長さや疎密を整えるヘアカット方法に関するものである。
【背景技術】
【０００２】
現在主流のヘアカット方法として、ブラントカット（blunt cut）と呼ばれる技法が広く知られている。
【０００３】
このブラントカットは、下記非特許文献１に示すように、カット対象の頭髪を手指やコーム等で所望の方向にパネル状に引き出してパネル状毛束を形成し、該パネル状毛束の自由端部を上記頭髪の引き出し方向に直交する方向や傾斜する方向に直線状にカットすることにより行われ、このようなカットを繰り返して頭髪の長さや疎密を整えて、様々なヘアスタイルを構築することができる。
【先行技術文献】
【非特許文献】
【０００４】
【非特許文献１】北川忠夫（ETON CROP）、「CUTTING DESIGN／BASIC」、株式会社蟻牙スピリッツ、2003年3月1日、p.9、p.16-20、p.22-26、p.28-32、p.34-38、p.40-44、p.46-50、p.52-56、p.58-62、p.64-70、p.72-76
【発明の概要】
【発明が解決しようとする課題】
【０００５】
しかしながら、このブラントカットにあっては、切り揃えられた各頭髪の毛先によって形成される直線状のカットラインが頭骨の立体形状、つまり頭部の球面形状に沿っていないため、当該直線状のカットラインが光の反射具合によって所々に又は段々に現れることとなり、上記パネル状毛束をカットしただけでは見栄えの悪い仕上がりとなる。
【０００６】
また、近年のヘアカットにおいては、カット対象となる頭髪は人毛に限らず、ウィッグ（かつら）等に植毛されているナイロン製等の人工毛であることも多く、この人工毛にブラントカットを施すと、該人工毛の毛先が光を高反射するために上記直線状のカットラインの現出が顕著となる。
【０００７】
そこで、従来は上記パネル状毛束のカット後の自由端部がぎざぎざとなるように鋏を入れるか、又は同自由端部をすき鋏等によりすくことにより、上記直線状のカットラインを敢えて荒らして光を乱反射させ、該カットラインが現出することを抑止しているが、視認方向や光の当たり具合等によっては結果的に該カットラインが現出してしまう場合がある。
【課題を解決するための手段】
【０００８】
本発明は上記従来のヘアカット方法が抱える問題点を有効に解消するために開発されたものであり、頭部の球面形状に沿い易いカットラインを形成することにより、該カットラインが現出せずに自然な仕上がりとなるヘアスタイルを構築できると共にフレキシブルにヘアスタイルを構築できるヘアカット方法を提供する。
【０００９】
要述すると、本発明に係るヘアカット方法は、カット対象の頭髪をパネル状に引き出してパネル状毛束を形成し、該パネル状毛束の自由端部を該自由端部の左右端部を重ね合わせるように折り返して折重自由端部を形成し、該折重自由端部を上記頭髪の引き出し方向に対し傾斜した方向にカットすることにより、頭部の球面形状に沿い易いカットラインを形成する。
【００１０】
また、上記パネル状毛束の自由端部の折り返しは山折り又は谷折りにて行うことにより、形成するカットラインを自在に調整することができる。
【００１１】
加えて、上記折重自由端部を上記頭髪の引き出し方向に対し傾斜して直線状又は凸弧状又は凹弧状にカットすることによっても、形成するカットラインを自在に調整することができる。
【発明の効果】
【００１２】
本発明に係るヘアカット方法によれば、頭部の球面形状に沿い易いカットラインを特別な技術を要せずに平易な方法で形成できるため、カットラインの現出を抑えた自然な仕上がりのヘアスタイルを構築できると共に柔軟にヘアスタイルを構築することができる。
【００１３】
また、光を反射しやすい人工毛から成る頭髪に本発明に係るヘアカット方法を適用すれば、カットラインの現出を抑止する効果がより顕著となる。
【図面の簡単な説明】
【００１４】
【図１】パネル状毛束の形成を模式的に説明する斜視図。
【図２】折重自由端部の形成を模式的に説明する斜視図。
【図３】（Ａ）は山折りにて形成された折重自由端部のカット例を模式的に示す拡大斜視図、（Ｂ）は谷折りにて形成された折重自由端部のカット例を模式的に示す拡大斜視図。
【図４】カット方向及びカット形状の他例を模式的に示す側面図であり、（Ａ）はパネル状毛束の基端に向け下り傾斜する方向に凸弧状にカットする例を示す側面図、（Ｂ）はパネル状毛束の基端に向け下り傾斜する方向に凹弧状にカットする例を示す側面図、（Ｃ）はパネル状毛束の基端に向け上り傾斜する方向に直線状にカットする例を示す側面図、（Ｄ）はパネル状毛束の基端に向け上り傾斜する方向に凸弧状にカットする例を示す側面図、（Ｅ）はパネル状毛束の基端に向け上り傾斜する方向に凹弧状にカットする例を示す側面図。
【図５】（Ａ）は図４（Ａ）のカット例にて折重自由端部をカットした直後のパネル状毛束の自由端部を模式的に示す表面図、（Ｂ）は同裏面図。
【図６】（Ａ）は図４（Ａ）のカット例にて折重自由端部をカットした後、引き出し状態を解除して頭部に戻したときのパネル状毛束の自由端部を模式的に示す表面図、（Ｂ）は同裏面図。
【図７】（Ａ）は図４（Ｂ）のカット例にて折重自由端部をカットした直後のパネル状毛束の自由端部を模式的に示す表面図、（Ｂ）は同裏面図
【図８】（Ａ）は図４（Ｂ）のカット例にて折重自由端部をカットした後、引き出し状態を解除して頭部に戻したときのパネル状毛束の自由端部を模式的に示す表面図、（Ｂ）は同裏面図。
【図９】山折りにて形成された折重自由端部のカット例の他例を模式的に示す拡大斜視図。
【図１０】（Ａ）は図９のカット例にて折重自由端部をカットした直後のパネル状毛束の自由端部を模式的に示す表面図、（Ｂ）は同裏面図。
【図１１】（Ａ）は図９のカット例にて折重自由端部をカットした後、引き出し状態を解除して頭部に戻したときのパネル状毛束の自由端部を模式的に示す表面図、（Ｂ）は同裏面図。
【発明を実施するための形態】
【００１５】
以下、本発明に係るヘアカット方法の実施形態を図１乃至図１１に基づき説明する。
【００１６】
本発明に係るヘアカット方法にあっては、まず、図１に示すように、頭部１からカット対象の頭髪２を手指又はコーム等によりパネル状に図中Ｄ１方向に引き出してパネル状毛束３を形成する。すなわち一度にカット可能な本数の頭髪２を平束にして引き出して上記パネル状毛束３を形成する。この際に頭髪２の引き出し方向Ｄ１及びパネル状毛束３の表裏面の向きは特に限定はなく、構築するヘアスタイルに応じて任意に設定できる。
【００１７】
次いで、図２に示すように、上記のように形成したパネル状毛束３の自由端部（先端部）４の左端部４ａと右端部４ｂとを重ね合わせるように、つまり図中Ｄ２方向に折り返して、図３（Ａ）に示すように、折重自由端部４′を形成する。
【００１８】
該折重自由端部４′を形成するための折り返しは、図２・図３（Ａ）においては山折りにて行う場合を示したが、本発明においては、図３（Ｂ）に示すように、谷折りにて折り返しを行うこともできる。これら山折り又は谷折りにて折り返しを行って上記折重自由端部４′を形成し、後記するように所望のカットラインを自在に形成する。
【００１９】
而して形成した折重自由端部４をカットする際には、図３（Ａ）・（Ｂ）に示すように、図中Ｄ３方向にカットする。すなわち上記頭髪２の引き出し方向Ｄ１に対し傾斜した方向Ｄ３にパネル状毛束３の自由端部４をカットする。
【００２０】
図３（Ａ）・（Ｂ）においては直線状にカットする例を示しているが、本発明におけるカット形状は直線状に限らず、図４（Ａ）に示すように凸弧状にカットするか、又は図４（Ｂ）に示すように凹弧状にカットすることができる。該カット形状により形成されるカットラインを調整できるのは勿論である。
【００２１】
また、図３（Ａ）・（Ｂ）及び図４（Ａ）・（Ｂ）においては、カット方向Ｄ３をパネル状毛束３の基端に向かって下り傾斜する方向として上記頭髪２の引き出し方向Ｄ１に対し傾斜した例を示しているが、本発明におけるカット方向Ｄ３は、図４（Ｃ）乃至（Ｅ）に示すように、カット方向Ｄ３をパネル状毛束３の基端に向かって上り傾斜する方向として上記頭髪２の引き出し方向Ｄ１に対し傾斜しても良い。この場合にも直線状又は凸弧状又は凹弧状にカットすることができるのは言うまでもない。
【００２２】
加えて、上記傾斜の角度は特に限定はなく、構築するヘアスタイルに応じて任意に設定できる。
【００２３】
上記のように、本発明にあっては、図３（Ａ）・（Ｂ）及び図４（Ａ）乃至（Ｅ）に示した如く、何れにしてもパネル状毛束３の折重自由端部４′を先細り状となるようにカットする。
【００２４】
なお図４（Ａ）乃至（Ｅ）にて示したカット例は、パネル状毛束３の自由端部４を山折りにて折り返して形成した折重自由端部４′、パネル状毛束３の自由端部４を谷折りにて折り返して形成した折重自由端部４′のいずれにも同様に適用できる。
【００２５】
次に本発明に係るヘアカット方法によるカットにて形成されるカットラインについて、図５乃至図８に基づいて説明する。なお、図５乃至図８は、説明の便宜上、頭部から頭髪を水平に引き出して、表裏面を地面と平行に形成したパネル状毛束３に形成した折重自由端部４′をカットした場合について図示している。
【００２６】
図５（Ａ）は、図３（Ａ）に基づき説明したカット例、すなわちパネル状毛束３の自由端部４を左右端部４ａ・４ｂを重ね合わせるように山折りにて折り返して形成した折重自由端部４′を該パネル状毛束３の基端に向かって下り傾斜する方向Ｄ３に直線状にカットした例において、カット直後に折重自由端部４′を展開して自由端部４に戻したときの当該自由端部４の表面を示しており、図５（Ｂ）は同裏面を示している。なお、パネル状毛束３は頭部１から引き出した状態のままである。また、図５中の２′は頭髪２が並んで形成する単位パネルを示しており、該単位パネル２′が多数積層されて自由端部４が形成されている。以下、図６乃至図８及び後記する図１０・図１１においても同様である。
【００２７】
図５（Ａ）・（Ｂ）に示すように、カット後に引き出した状態のままのパネル状毛束３の自由端部４の先端は中央部に位置する頭髪２の長さが長く、同左右端部に位置する頭髪２の長さが短く、全体として中央が尖った形状となる。また、図５（Ｂ）に示すように、該自由端部４の裏面においては、パネル状毛束３の厚みに起因して、裏面側の頭髪２ほど短くカットされている。つまり、図５（Ｂ）に示すように、表面側の単位パネル２′ほどせり出し、逆に裏面側の単位パネル２′ほど引っ込んだ状態で、各単位パネル２′が積層されている。
【００２８】
そして、上記パネル状毛束３の頭部からの引き出しを解除し当該パネル状毛束３を頭部に戻すと、図６（Ａ）・（Ｂ）に示すように、該パネル状毛束３の自由端部４の表面において、表面側の頭髪２ほど毛先が上方に位置し、逆に裏面側の頭髪２ほど毛先が下方に位置した状態となったカットラインＣＬが形成される。これは表面側の頭髪２ほど根元が上方に位置しており、逆に裏面側の頭髪２ほど根元が下方に位置していることに起因する。つまり、図６（Ａ）に示すように、裏面側の単位パネル２′ほど下方にせり出し、逆に表面側の単位パネル２′ほど上方に引っ込んだ状態で、各単位パネル２′が積層されて、頭部に戻される。
【００２９】
換言すると、上記カットラインＣＬは、いわば舟形多円錐図法で描かれた地球儀展開図を構成する舟形状の如く尖った形状が、カットした自由端部４の長手方向（軸方向）にずれながら多段となった形状となる。よって、上記カットラインＣＬは上記自由端部４の先端に向かって該自由端部４の幅と厚さを漸減する形状であり、頭部の球面形状に沿い易い形状となる。また、上記自由端部４の中央部には長い頭髪２が密集して芯部５が形成され、該芯部５の存在により、コーム等で解かした際に自在に頭髪の流れを作ることが可能となる。
【００３０】
図７（Ａ）は、図３（Ｂ）に基づき説明したカット例、すなわちパネル状毛束３の自由端部４を左右端部４ａ・４ｂを重ね合わせるように谷折りにて折り返して形成した折重自由端部４′を該パネル状毛束３の基端に向かって下り傾斜する方向Ｄ３に直線状にカットした例において、カット直後に折重自由端部４′を展開して自由端部４に戻したときの当該自由端部４の表面を示しており、図７（Ｂ）は同裏面を示している。なお、パネル状毛束３は頭部１から引き出した状態のままである。
【００３１】
図７（Ａ）・（Ｂ）に示すように、カット後に引き出した状態のままのパネル状毛束３の自由端部４の先端は中央部に位置する頭髪２の長さが短く、同左右端部に位置する頭髪２の長さが長く、全体として左右端部が尖った形状となる。また、図７（Ｂ）に示すように、該自由端部４の裏面においては、パネル状毛束３の厚みに起因して、裏面側の頭髪２ほど短くカットされている。つまり、図７（Ｂ）に示すように、表面側の単位パネル２′ほどせり出し、逆に裏面側の単位パネル２′ほど引っ込んだ状態で、各単位パネル２′が積層されている。
【００３２】
そして、上記パネル状毛束３の頭部からの引き出しを解除し当該パネル状毛束３を頭部に戻すと、図８（Ａ）・（Ｂ）に示すように、該パネル状毛束３の自由端部４の表面において、図６（Ａ）・（Ｂ）に基づいて説明したのと同様に、表面側の頭髪２ほど毛先が上方に位置し、逆に裏面側の頭髪２ほど毛先が下方に位置した状態となったカットラインＣＬが形成される。つまり、図８（Ａ）に示すように、裏面側の単位パネル２′ほど下方にせり出し、逆に表面側の単位パネル２′ほど上方に引っ込んだ状態で、各単位パネル２′が積層されて、頭部に戻される。
【００３３】
よって、いわば舟形多円錐図法で描かれた地球儀展開図を構成する舟形状の如く尖った形状を二つ連ねたような形状が自由端部４の長手方向（軸方向）にずれながら多段となった形状のカットラインＣＬが形成される。したがって、該カットラインＣＬは上記自由端部４の先端に向かって該自由端部４の厚さを漸減しつつ二つの先細り形状を形成する形状であり、頭部の球面形状に沿い易い形状となる。また、上記自由端部４の左右端部には長い頭髪２が密集して芯部５が形成され、該芯部５の存在により、コーム等で解かした際に自在に頭髪の流れを作ることが可能となる。
【００３４】
上記のように、山折りにて形成した折重自由端部４′をカットした場合も、谷折りにて形成した折重自由端部４′をカットした場合も、頭部の球面形状に沿い易い形状のカットラインＣＬが形成される。なお、カットを繰り返すことにより、頭部に多数の上記カットラインＣＬが鱗状に配されて形成されることとなるが、該カットラインＣＬが頭部の球面形状に適切に沿うことにより光の反射を抑制するので、当該カットラインＣＬが現出することが抑止される。
【００３５】
また、折重自由端部４′を凸弧状又は凹弧状にカットした場合には、図６・図８に示したカットラインＣＬとは輪郭が異なるカットラインが形成されるが、カットラインの現出を抑止する原理は図６・図８に示したカットラインＣＬと同様である。
【００３６】
また、図６・図８に示したカットラインＣＬは、既述の如く、頭部から頭髪を水平に引き出して地面と平行に形成したパネル状毛束３に形成した折重自由端部４′をカットした場合に関するものであるが、これ以外の引き出し方向Ｄ１やパネル状毛束３の向きの場合におけるカットラインも輪郭が図６・図８に示したカットラインＣＬとは異なるだけで、カットラインの現出を抑止する原理は図６・図８に示したカットラインＣＬと同様である。
【００３７】
最後に、図９に基づいて本発明に係るヘアカット方法の他例を説明し、当該例のカットにて形成されるカットラインについて、図１０・図１１に基づいて説明する。なお、図１０・図１１も、説明の便宜上、頭部から頭髪を水平に引き出して、表裏面を地面と平行に形成したパネル状毛束３に形成した折重自由端部４′をカットした場合について図示している。
【００３８】
図９は、パネル状毛束３の自由端部４を左右端部４ａ・４ｂを重ね合わせるように山折りにて折り返して形成した折重自由端部４′を直線状にカットした例を示している。本例におけるカット方向Ｄ３は、パネル状毛束３の基端に向かって一旦下り傾斜し、且つ同パネル状毛束３の基端に向かって引き出し方向Ｄ１に沿い延びる方向となっている。
【００３９】
すなわち、図９の例にあっては、パネル状毛束３の折重自由端部４′を先細り状となるようにカットすると共に該折重自由端部４′の幅を減少させるようにカットする。
【００４０】
図１０（Ａ）は、図９に基づき説明したカット例において、カット直後に折重自由端部４′を展開して自由端部４に戻したときの当該自由端部４の表面を示しており、図１０（Ｂ）は同裏面を示している。なお、パネル状毛束３は頭部１から引き出した状態のままである。
【００４１】
図１０（Ａ）・（Ｂ）に示すように、カット後に引き出した状態のままのパネル状毛束３の自由端部４の先端は中央部に位置する頭髪２の長さが長く、同左右端部に位置する頭髪２の長さが短く、全体として中央が尖った形状となる。また、図１０（Ｂ）に示すように、該自由端部４の裏面においては、パネル状毛束３の厚みに起因して、裏面側の頭髪２ほど短くカットされていると共に本数が少なくなっている。つまり、図１０（Ｂ）に示すように、表面側の単位パネル２′ほどせり出し、逆に裏面側の単位パネル２′ほど引っ込んだ状態で、且つ裏面側の単位パネル２′ほど巾狭となった状態で、各単位パネル２′が積層されている。
【００４２】
そして、上記パネル状毛束３の頭部からの引き出しを解除し当該パネル状毛束３を頭部１に戻すと、図１１（Ａ）・（Ｂ）に示すように、該パネル状毛束３の自由端部４の表面において、表面側の頭髪２ほど毛先が上方に位置し、逆に裏面側の頭髪２ほど毛先が下方に位置した状態となったカットラインＣＬが形成される。つまり、図１１（Ａ）に示すように、裏面側の単位パネル２′ほど下方にせり出し且つ巾狭となり、逆に表面側の単位パネル２′ほど上方に引っ込み且つ幅広となった状態で、各単位パネル２′が積層されて、頭部に戻される。
【００４３】
本例における上記カットラインＣＬも、図５にて説明したように、中央部が尖った形状が、カットした自由端部４の長手方向（軸方向）にずれながら多段となった形状となる。よって、上記カットラインＣＬは上記自由端部４の先端に向かって該自由端部４の幅と厚さを漸減する形状であり、頭部の球面形状に沿い易い形状となる。また、上記自由端部４の中央部に長い頭髪２が密集して芯部５となり、該芯部５の存在により、コーム等で解かした際に自在に頭髪の流れを作ることができる。
【００４４】
上記のように、本例においても、頭部の球面形状に沿い易い形状のカットラインＣＬが形成され、カットを繰り返すことにより、頭部に多数の上記カットラインＣＬが鱗状に配されて形成されることとなるが、該カットラインＣＬが頭部の球面形状に適切に沿うことにより光の反射を抑制するので、当該カットラインＣＬが現出することが抑止される。
【００４５】
なお、本例にあっても、パネル状毛束３の自由端部４を谷折りにて折り返して形成した折重自由端部４′にも同様に適用できる。また、カット方向Ｄ３の傾斜する方向をパネル状毛束３の基端に向かって上り傾斜する方向とすることや、凸弧状又は凹弧状に傾斜してカットすることも実施に応じ任意であるし、上記傾斜の角度は特に限定はなく、構築するヘアスタイルに応じて任意に設定できる。
【００４６】
また、図１１に示したカットラインＣＬは、既述の如く、頭部から頭髪を水平に引き出して地面と平行に形成したパネル状毛束３に形成した折重自由端部４′をカットした場合に関するものであるが、これ以外の引き出し方向Ｄ１やパネル状毛束３の向きの場合におけるカットラインも輪郭が図１１に示したカットラインＣＬとは異なるだけで、カットラインの現出を抑止する原理は図１１に示したカットラインＣＬと同様である。
【００４７】
以上説明したように、本発明に係るヘアカット方法にあっては、誰もが再現できる平易な方法で頭部の球面形状に沿い易いカットラインを形成することができ、該カットラインの現出を抑止できる。したがって、自然な仕上がりのヘアスタイルを構築できると共に柔軟にヘアスタイルを構築できる。
【００４８】
特に近年増えている人工毛から成る頭髪に本発明に係るヘアカット方法を適用すれば、カットラインの現出を抑止する効果がより顕著となる。
【符号の説明】
【００４９】
１…頭部、２…頭髪、２′…単位パネル、３…パネル状毛束、４…パネル状毛束の自由端部、４ａ…左端部、４ｂ…右端部、４′…折重自由端部、５…芯部、Ｄ１…引き出し方向、Ｄ２…折り返し方向、Ｄ３…カット方向、ＣＬ…カットライン。
【要約】
【課題】  頭部の球面形状に沿い易いカットラインを形成することにより、該カットラインが現出せずに自然な仕上がりとなるヘアスタイルを構築できると共にフレキシブルにヘアスタイルを構築できるヘアカット方法の提供。
【解決手段】  本発明に係るヘアカット方法は、カット対象の頭髪２をパネル状に引き出してパネル状毛束３を形成し、該パネル状毛束３の自由端部４を該自由端部４の左右端部４ａ・４ｂを重ね合わせるように折り返して折重自由端部を形成し、該折重自由端部を上記頭髪の引き出し方向に対し傾斜した方向にカットすることにより、頭部の球面形状に沿い易いカットラインを形成する。
【選択図】  図２【図１】
0005806429.tif 000002
【図２】
0005806429.tif 000003
【図３】
0005806429.tif 000004
【図４】
0005806429.tif 000005
【図５】
0005806429.tif 000006
【図６】
0005806429.tif 000007
【図７】
0005806429.tif 000008
【図８】
0005806429.tif 000009
【図９】
0005806429.tif 000010
【図１０】
0005806429.tif 000011
【図１１】
0005806429.tif 000012